(57)【要約】【課題】雨水の納骨室内への浸入防止性に優れた墓の納骨室構造を提供することを目的とする。【解決手段】墓の納骨室構造であって、納骨室は、一体的に立ち上げた左右の側壁と背壁とを有するとともに、前面には水平方向に開閉する一枚扉又は左右の二枚扉を有し、扉の回動軸側の扉側縁に対応する側壁には、垂直方向の回動溝を設けて、当該扉側縁を呑み込ませてあり、扉が閉じた際に扉の底縁より納骨室奥側であって扉開口部底面に左右の側壁間をつなぐレール状あるいは段差状にせりあげた底部止水突条を有していることを特徴とする納骨室構造とした。【選択図】  図１
0003134528.tif 000002
【実用新案登録請求の範囲】
【請求項１】
墓の納骨室構造であって、
納骨室は、一体的に立ち上げた左右の側壁と背壁とを有するとともに、
前面には水平方向に開閉する一枚扉又は左右の二枚扉を有し、
扉の回動軸側の扉側縁に対応する側壁には、
垂直方向の回動溝を設けて、当該扉側縁を呑み込ませてあり、
扉が閉じた際に扉の底縁より納骨室内側であって扉開口部底面に左右の側壁間をつなぐレール状あるいは段差状にせりあげた底部止水突条を有していることを特徴とする墓の納骨室構造。
【請求項２】
左右の側壁の上部であって前面よりに、供物台受け部を設けるとともに当該左右の供物台受け部にまたがって供物台を配設してあり、当該供物台の裏面と扉開口部底面との間にて扉を軸支してあることを特徴とする請求項１記載の墓の納骨室構造。  
【請求項３】
墓の納骨室構造であって、
納骨室は、一体的に立ち上げた左右の側壁と背壁とを有するとともに、前面には、水平方向に開閉自在に、一枚扉又は左右の二枚扉を装着した扉枠を取り付けてあり、
扉枠は左右枠と下枠と上部の供物台で構成されていて、扉枠の下枠の底縁より納骨室内側であって、扉開口部底面にレール状あるいは段差状にせりあげた底部止水突条を有し、扉枠の左右枠の側縁より納骨室内側であって納骨室側壁に垂直方向のレール状あるいは段差状にせり出した側壁部止水突条を有し、且つ左右の側壁部止水突条と底部止水突条とはつながっていることを特徴とする墓の納骨室構造。
【請求項４】
納骨室の左右の側壁及び背壁のうち、少なくとも２箇所に換気窓を有していることを特徴とする請求項１〜３のいずれかに記載の墓の納骨室構造。
【考案の詳細な説明】
【技術分野】
【０００１】
本考案は、石製の墓の納骨室構造に関する。
【背景技術】
【０００２】
従来の石製の墓の納骨室は、例えば実開昭６２−１７５１６１号公報に、収納室に骨壺を出し入れするための開口部を着脱自在な前蓋石で塞ぐ技術を開示するが、前蓋石と開口部内周面との間から、雨水が収納室内に浸入する恐れがあった。
また、実登第３０５９５６５号公報には、扉石を納めた扉枠を納骨口に嵌める技術を開示するが、扉枠と納骨口内周面との間から、やはり雨水が納骨室内に浸入する恐れがあった。
【０００３】
【特許文献１】実開昭６２−１７５１６１号公報
【特許文献２】実登第３０５９５６５号公報
【考案の開示】
【考案が解決しようとする課題】
【０００４】
本考案は上記技術的課題に鑑みて、雨水の納骨室内への浸入防止性に優れた墓の納骨室構造を提供することを目的とする。
【課題を解決するための手段】
【０００５】
請求項１記載の墓の納骨室構造の考案において、納骨室は、一体的に立ち上げた左右の側壁と背壁とを有するとともに、前面には水平方向に開閉する一枚扉又は左右の二枚扉を有し、扉の回動軸側の扉側縁に対応する側壁には、垂直方向の回動溝を設けて、当該扉側縁を呑み込ませてあり、扉が閉じた際に扉の底縁より納骨室内側であって扉開口部底面に左右の側壁間をつなぐレール状あるいは段差状にせりあげた底部止水突条を有していることを特徴とする。
【０００６】
ここで左右とは墓前面に向かって左右を意味し、墓前面とは納骨室内に骨壺などを出し入れするための開口面をいう。
納骨室内には、左右の側壁と背壁とを一体的に立ち上げることで前方及び上方に開口する納骨室内空間が形成され、上方開口部は納骨室上に墓の石材を積み重ねることで蓋をし、骨壺などは前方開口部の扉開口部から出し入れする。
納骨室内側とは、納骨室内空間における、この前方開口部扉開口部から奥側を意味する。
納骨室の底部は開口構造でも密閉構造でもよい。
前面には水平方向に開閉する一枚扉又は左右の二枚扉を有しとは、納骨室の前方開口部の内側に、一枚扉又は左右の二枚扉を、扉を閉じた状態で前方開口部を塞ぎ、扉を開いた状態で前方開口部から納骨室内に骨壺などを出し入れできるように配設する趣旨である。
側壁に垂直方向の回動溝を設けて扉側縁を呑み込ませたことにより雨水はこの回転溝にさえぎられて納骨室内に侵入するのを抑え、回動溝に沿って下に流れる。
底部止水突条は、骨壺などを納める位置と扉との間の底部扉開口部底面において、骨壺などを納める奥側を高くした段差を左右の側壁間をつないで形成することで、外部から流入して奥側にむけて流れる雨水を堰き止める。
【０００７】
請求項２記載の墓の納骨室構造の考案は、左右の側壁の上部であって前面よりに、供物台受け部を設けるとともに当該左右の供物台受け部にまたがって供物台を配設してあり、当該供物台の裏面と扉開口部底面との間にて扉を軸支してあることを特徴とする。
【０００８】
供物台受け部と供物台は、納骨室上に積み重ねる墓の石材で供物台を押さえるように形成するとよい。
【０００９】
請求項３記載の墓の納骨室構造の考案において、納骨室は、一体的に立ち上げた左右の側壁と背壁とを有するとともに、前面には、水平方向に開閉自在に、一枚扉又は左右の二枚扉を装着した扉枠を取り付けてあり、扉枠は左右枠と下枠と上部の供物台で構成されていて、扉枠の下枠の底縁より納骨室内側であって、扉開口部底面にレール状あるいは段差状にせりあげた底部止水突条を有し、扉枠の左右枠の側縁より納骨室内側であって納骨室側壁に垂直方向のレール状あるいは段差状にせり出した側壁部止水突条を有し、且つ左右の側壁部止水突条と底部止水突条とはつながっていることを特徴とする。
【００１０】
側壁部止水突条と底部止水突条は、側壁から底部にかけて連続してベルト状に、奥側をせり出した段差を形成することで、前方開口部側から納骨室に浸入しようとする雨水を堰き止める。
【００１１】
請求項４記載の墓の納骨室構造の考案は、納骨室の左右の側壁及び背壁のうち、少なくとも２箇所に換気窓を有していることを特徴とする。
【考案の効果】
【００１２】
請求項１記載の考案に係る納骨室構造においては、扉と側壁との間は、扉の回動軸側の扉側縁を側壁の回動溝に呑み込ませて止水し、扉開口部底面には左右の側壁間をつなぐ底部止水突条を設けて止水してあるので、外部から扉と側壁、あるいは扉開口部底面上を納骨室内に浸入しようとする雨水を遮断する。
【００１３】
請求項２記載の考案に係る墓の納骨室構造においては、左右の側壁上部の前面よりに配設した供物台と扉開口部底面との間で扉を軸支するため、扉を収納室上に重ねる石材との間で軸支する場合に比較して扉を取付けしやすい。
【００１４】
請求項３記載の考案に係る墓の納骨室構造においては、扉を装着した扉枠より奥側に、納骨室側壁から扉開口部底面に渡って連続して側壁部止水突条および底部止水突条とを設けてあるため、前方開口部側から扉枠部分を伝わって納骨室に浸入しようとする雨水を側壁部止水突条および底部止水突条で遮断する。
【００１５】
請求項４記載の考案に係る墓の納骨室構造においては、外部空間と納骨室内とを連通する換気窓を少なくとも２箇所に設けてあるので、外部空間から納骨室内に風が吹き込み適度に換気を行い、納骨室内における結露を防止できる。
【考案を実施するための最良の形態】
【００１６】
図を用いて本考案に係る墓の納骨室構造について説明する。
図１は納骨室１０の説明図を示し、図１（ａ）は供物台２０と二枚扉２１とを取り外した状態の斜視図を示し、図１（ｂ）は供物台２０と二枚扉２１とを取り付けた状態の斜視図を示す。
図２（ａ）、図２（ｂ）、図２（ｃ）は供物台２０と二枚扉２１とを取り外した納骨室のそれぞれ平面図、正面図、右側面図を示す。
また、図２（ｄ）に供物台２０と二枚扉２１とを分解した説明図を示し、図２（ｅ）に供物台２０に二枚扉２１を軸支させた状態の側面視説明図を示す。
納骨室１０は、底部１１に扉開口部底面１１ａと地面に向けて開口させた下方開口部１１ｅを囲むように略コ字形に立ち上げた左右の側壁１３、１４と背壁１５とを有し、一つの石材をくり抜いて一体に形成してある。
左右の側壁１３、１４と背壁１５で囲まれた納骨室内空間１０aは、前方及び上方を前方開口部扉開口部１０ｂと上方開口部１０ｃで開口し、納骨室内空間１０aの前面側においては、前方開口部１０ｂを開閉自在とする左右の二枚扉２１を配設してある。
この扉は、一枚扉であってもよい。
左右の側壁１３、１４の上部の前面よりには供物台受け部１３ａ、１４ａを設けて、左右の供物台受け部１３ａ、１４ａにまたがる庇状に供物台２０を配設してある。
供物台２０は上方開口部１０ｃの前面よりの部分を覆ってある。
二枚扉２１の左右それぞれの左扉２２、右扉２３は、上回動軸２１ａを供物台裏面２０ａの上軸受け２０ｂに挿入し、下回動軸２１ｂを扉開口部底面１１aの下軸受け１１ｂに挿入して、供物台２０の裏面２０ａと扉開口部底面１１ａとの間に軸支してあり、閉じ合わせることで前方開口部１０ｂを塞ぐ。
【００１７】
左右の側壁１３、１４における、左扉２２、右扉２３の回動軸側の扉側縁２１ｃに対応する位置には、垂直方向の回動溝１６がそれぞれ設けてある。
上軸受け２０ｂと下軸受け１１ｂはそれぞれ回動溝１６の凹み形状の位置に合わせて設けてある。
そして左扉２２、右扉２３は、それぞれ回動軸側の側縁２１ｃを回動溝１６に呑み込ませた状態で軸支してある。
上方開口部１０ｃの供物台２０より奥側部分は、図６に墓１の外観図を示すように、納骨室１０上に積み重ねる石材２で覆って塞ぐ。
供物台２０と供物台受け部１３ａ、１４ａは、この石材２で供物台２０を押さえるように形成してある。
骨壺などは、二枚扉２１を開いた状態で、前方開口部１０ｂから納骨室内空間１０ａの、後述する底部止水突条１２より奥側の、納骨部１０ｄに入れて、二枚扉２１を閉じて収納する。
右扉２３の閉じ合わせ側には重ね合わせ部２３ａが設けてあり、二枚扉２１を閉じた状態において、とじ合わせ部分の隙間を通って雨水が納骨室１０内に流れ込むことを防止してある。
扉開口部底面１１ａの、二枚扉２１が閉じた際に扉の底縁２１ｄよりも納骨室内空間１０ａの奥側となる位置には、左右の側壁１３、１４間をつなぐレール状にせりあげた底部止水突条１２が設けてある。
この底部止水突条１２は、扉開口部底面１１ａ上において、扉の底縁２１ｄと扉開口部底面１１ａの間を通り、納骨室１０内に流れ込もうとする雨水をせき止めて遮断する。
この底部止水突条１２は扉開口部底面１１ａの奥側を高くした段差状であってもよい。
また、二枚扉２１の回動軸側の側縁２１ｃと側壁１３、１４との間は、回動溝１６に二枚扉２１の回動軸側の側縁２１ｃ呑み込ませることで、側壁１３、１４と二枚扉２１との間を通って流れ込もうとする雨水を、扉側縁２１ｃでうけて回動溝１６に沿って落下させ遮断する。
このように、二枚扉２１と側壁１３、１４及び扉開口部底面１１ａの間にそれぞれ止水構造を設けることで、納骨室１０内において骨壺などを納めた納骨部１０ｄに雨水が浸入することを防止してある。
【００１８】
図５に図１（ｂ）における左扉２２の上回動軸２１ａ付近の拡大図を示す。
回動軸側の扉側縁２１ｃの水平方向断面は半円凸形状に形成して、この半円形状中心位置に上回動軸２１ａが設けてある。
そして、回動溝１６は回動軸側の扉側縁２１ｃの半円凸形状に合わせた半円凹形状に形成して、半円形状中心位置に設けた上軸受け２０ｂで上回動軸２１ａを軸支して、回動軸側の扉側縁２１ｃを呑み込むように配置してある。
回動溝１６に呑み込ませた回動軸側の扉側縁２１ｃと、回動溝１６とは、扉を閉じた状態で、互いにほぼ接するように取り付けて、回動軸側の扉側縁２１ｃと側壁１３、１４との間からの雨水流入を防止してもよい。
【００１９】
左右の側壁１３、１４にはそれぞれ、換気窓１７を納骨部１０ｄと外部空間とを連通させて設けてあり、必要に応じて網を張設し虫等の侵入を防止してある。
これにより、網１７ａで納骨部１０ｄへの異物侵入を防止しつつ、外部空間からの空気を一方の換気窓１７から納骨室内を経て他方の換気窓１７へと通して、適度に換気を行って納骨室内における結露を防止する。
【００２０】
図３は二枚扉２１を装着した扉枠３０を取り付けるタイプの納骨室４０の説明図を示し、図３（ａ）に扉枠３０及び二枚扉２１を取り外した状態の斜視説明図を示し、図３（ｂ）に扉枠３０及び二枚扉２１を取り付けた状態の斜視説明図を示す。
また、図４に扉枠３０と二枚扉２１とを分解した説明図を示す。
納骨室４０は、底部１１扉開口部底面１１ａと、地面に向けて開口させた下方開口部１１ｅを囲むように一体的に略コ字形に立ち上げた左右の側壁１３、１４と背壁１５とを有するとともに、前面には、水平方向に開閉自在に二枚扉２１を装着した扉枠３０を、納骨室内空間４０ａの前方開口部４０ｂに取り付けてある。
扉枠３０は、下枠３５の上に左枠３２と右枠３３とを載せて、左枠３２と右枠３３との上に供物台３１を載せる構成になっている。
左右それぞれの左扉２２、右扉２３は、上回動軸２１ａを供物台裏面３１ａの上軸受け３１ｂに挿入し、下回動軸２１ｂを下枠３５の下軸受け３５ａに挿入して、供物台３１の裏面３１ａと下枠３５との間に軸支してある。
扉開口部底面１１ａには、納骨室４０に取り付けた状態の扉枠３０の下枠の底縁３５ｂより奥側に、レール状にせりあげた底部止水突条１２が設けてある。
そして納骨室側壁１３、１４には、納骨室４０に取り付けた状態の扉枠３０の左右枠３２、３３の側縁３２ａ、３３ａより奥側に、納骨室側壁１３、１４を垂直方向のレール状にせり出した左・右側壁部止水突条１８ａ、１８ｂが設けてあり、左右の側壁部止水突条１８ａ、１８ｂと底部止水突条１２とはつなげてある。
外部から扉枠３０と側壁１３、１４、あるいは扉開口部底面１１ａとの間及び、左右の扉（２２、２３）と扉枠３０との間から納骨室４０内に流れ込もうとする雨水は、左右の側壁１３、１４から扉開口部底面１１ａにかけて連続してベルト状に形成した、側壁部止水突条１８ａ、１８ｂと底部止水突条１２とで遮断するようにしてある。
【図面の簡単な説明】
【００２１】
【図１】本考案に係る墓の納骨室構造の説明図を示す。
【図２】扉を取り外した納骨室の（ａ）は平面図を示し、（ｂ）は正面図を示し、（ｃ）は右側面図を示し、（ｄ）は扉と供物台とを分解した説明図を示し、（ｅ）は供物台に扉の上回動軸を軸支させた状態の側面視説明図を示す。
【図３】扉枠を取り付けるタイプの納骨室構造の説明図を示す。
【図４】扉枠と扉とを分解した説明図を示す。
【図５】回動溝付近の拡大説明図を示す。
【図６】墓の外観図を示す。
【符号の説明】
【００２２】
１      墓
２      石材
１０、４０  納骨室
１０ａ、４０ａ  納骨室内空間
１０ｂ、４０ｂ  前方開口部
１０ｃ  上方開口部
１０ｄ  納骨部
１１    底部
１１ａ  底面
１１ｂ  下軸受け
１２    底部止水突条
１３    左側壁
１３ａ  供物台受け部
１４    右側壁  
１４ａ  供物台受け部
１５    背壁
１６    回動溝
１７    換気窓
１７ａ  網
１８    側壁部止水突条
２０    供物台
２０ａ  供物台裏面
２０ｂ  上軸受け
２１    二枚扉
２１ａ  上回動軸
２１ｂ  下回動軸
２１ｃ  回動軸側の扉側縁
２１ｄ  扉の底縁
２２    左扉
２３    右扉
２３ａ  重ね合わせ部
３０    扉枠
３０ｂ  扉枠底面
３１    供物台
３１ａ  供物台裏面
３１ｂ  上軸受
３２    左枠
３２ａ  側縁
３３    右枠
３３ａ  側縁
３５    下枠
３５ａ  下軸受け
３５ｂ  下枠底縁
【図１】
0003134528.tif 000003
【図２】
0003134528.tif 000004
【図３】
0003134528.tif 000005
【図４】
0003134528.tif 000006
【図５】
0003134528.tif 000007
【図６】
0003134528.tif 000008